(57)【要約】【課題】光学系を収容したレンズ鏡筒１０と、筒状に形成されてレンズ鏡筒１０をその内側に保持するレンズ保持部２１を備えて鏡筒１０の側面とレンズ保持部２１とを接着にして固定する光学系保持装置において、接着剤の滴だれを防止すると共に接着剤の硬化する際の収縮量の違いでピントや光軸等に狂いを生ぜず、かつ、安定して十分な接着強度が得られるようにした光学系保持装置と撮像装置を提供する。【解決手段】レンズ鏡筒１０にレンズ保持部２１の内径より大径の偏芯フランジ部１２を設け、光学系の光軸調整後にレンズ鏡筒１０をレンズ保持部２１へ固定させる位置において偏芯フランジ部１２の光軸に対する偏芯の方向が、レンズ保持部２１の内径中心に対する光軸のずれの方向とは略逆方向となるよう鏡筒１０を光学系光軸中心に回転させて固定し、偏芯フランジ部１２の外径が、レンズ保持部２１における偏芯フランジ部１２側の内径を覆うだけの長さを有する。【選択図】図１
2009157184.tif 000002
【特許請求の範囲】
【請求項１】
光学系を収容したレンズ鏡筒と、筒状に形成されて前記レンズ鏡筒をその内側に保持する保持部材と、を備え、
前記レンズ鏡筒は前記保持部材内径より大径のフランジ部を備え、該フランジ部側面と前記保持部材におけるフランジ部側とを接着剤で固定し、前記フランジ部は中心が前記光学系光軸に対して偏芯して設けられていることを特徴とする光学系保持装置。
【請求項２】
前記光学系の光軸調整後に前記レンズ鏡筒を前記保持部材へ固定させる位置において前記フランジ部の光軸に対する偏芯の方向が、前記保持部材の内径中心に対する前記光軸のずれの方向とは略逆方向となるように固定されていることを特徴とする請求項１に記載した光学系保持装置。
【請求項３】
前記フランジ部の外径は、前記保持部材におけるフランジ部側内径を覆うだけの長さを有していることを特徴とする請求項２に記載した光学系保持装置。
【請求項４】
前記フランジ部における前記光学系の光軸に対する偏芯量Ｙと、前記光学系の光軸調整後に前記レンズ鏡筒を前記保持部材へ固定させる位置における、前記保持部材内径の中心に対する光軸のずれ量の最大値Ｘとが、Ｙ≧Ｘ／２、となるよう前記フランジ部の偏芯量Ｙが定められていることを特徴とする請求項１乃至３のいずれかに記載した光学系保持装置。
【請求項５】
前記フランジ部における外径半径をＲ１、前記保持部材内径半径をＲ、前記光学系の光軸調整後に前記レンズ鏡筒を前記保持部材へ固定させる位置における、前記保持部材内径の中心に対する光軸のずれ量の最大値Ｘとが、Ｒ１≧Ｒ＋Ｘ／２、となるよう前記フランジ部の外径が定められていることを特徴とする請求項１乃至４のいずれかに記載した光学系保持装置。
【請求項６】
前記保持部材の外径半径をＲ２、前記保持部材の内径半径をＲ、前記光学系の光軸調整後に前記レンズ鏡筒を前記保持部材へ固定させる位置における、前記保持部材内径の中心に対する光軸のずれ量の最大値をＸ、前記フランジ部側面と前記保持部材におけるフランジ部側とを固定する接着剤の径方向塗布幅の最小値ａとが、Ｒ２≧Ｒ＋Ｘ＋ａ、となるよう前記保持部材の外径が定められていることを特徴とする請求項１乃至５のいずれかに記載した光学系保持装置。
【請求項７】
光学系を収容したレンズ鏡筒と、筒状に形成されて前記レンズ鏡筒をその内側に保持する保持部材と、前記光学系の結像位置に、前記保持部材における内径の中心が撮像画面の略中心となるよう配された撮像素子と、を備え、
前記レンズ鏡筒は前記保持部材内径より大径のフランジ部を備えて該フランジ部側面と前記保持部材におけるフランジ部側とが接着剤で固定され、前記フランジ部は中心が前記光学系光軸に対して偏芯して設けられていることを特徴とする光学系保持装置を備えた撮像装置。
【請求項８】
前記光学系の光軸調整後に前記レンズ鏡筒を前記保持部材へ固定させる位置において前記フランジ部の光軸に対する偏芯の方向が、前記保持部材の内径中心に対する前記光軸のずれの方向とは略逆方向となるように固定されていることを特徴とする請求項７に記載した光学系保持装置を備えた撮像装置。
【請求項９】
前記フランジ部の外径は、前記保持部材におけるフランジ部側内径を覆うだけの長さを有していることを特徴とする請求項８に記載した光学系保持装置を備えた撮像装置。
【発明の詳細な説明】
【技術分野】
【０００１】
本発明は、レンズを収容したレンズ鏡筒を筐体に固定するための光学系保持装置と該光学系保持装置を備えた撮像装置に係り、特に、レンズを収容したレンズ鏡筒をカメラやデジカメなどの筐体に接着剤により固定するようにした、光学系保持装置と該光学系保持装置を備えた撮像装置に関するものである。
【背景技術】
【０００２】
レンズを収容したレンズ鏡筒をカメラやデジカメなどの筐体に固定するため、従来から接着剤が用いられている。しかし、この接着剤による固定の際に光軸調整による偏芯が生じた場合、図３に示したように、光学レンズ１１を収容したレンズ鏡筒５０における鏡筒側面５１と、カメラやデジカメなどの筐体２０におけるレンズ保持部２１の内面２１ａとの間のクリアランスｄ１、ｄ２が、ｄ１で示した一方だけ大きくなってしまう場合があった。するとクリアランスｄ１側で接着剤が滴だれを起こし、甚だしい場合は撮像素子上面のフィルタに付着したり、接着剤の塗布量をディスペンサーにより均一にコントロールしようとした場合に、接着剤の充填不良による強度不足や接着剤の偏りによる局部的な硬化が起こり、硬化の際の接着剤の収縮でピントや光軸等に狂いが生ずる場合があった。
【０００３】
レンズを接着剤で固定する方法の先行技術としては、例えば特許文献１に、半導体レーザを保持する鏡筒にコリメータレンズを保持するレンズホルダを、紫外線硬化型の接着剤で固定する作業を簡単におこなうため、鏡筒における筒状部分の表面を粗面化し、接着剤を塗布したときに容易に筒状部分の表面に均一に分散させられるようにすると共に、レンズホルダを装着してコリメータレンズの光軸合わせや焦点合わせを行なうときも、接着剤の偏りや滴だれ等を防ぐことができるようにした、光偏向走査装置が開示されている。
【０００４】
また特許文献２には、少なくとも一方が樹脂レンズである光学部品同士を接着するに当たり、レンズ有効径内径へのはみ出しを防止して光線有効径よりも外側で接着するため、接着剤の粘度を１０，０００ｍＰａ・ｓ以上、４５，０００ｍＰａ・ｓ以下とし、接着剤を３箇所以上に塗布すると共に雫状の塊として塗布するようにした、光学部品接着方法及び光学部品ユニットが開示されている。
【０００５】
【特許文献１】特開平０８−１３６８４３号公報
【特許文献２】特開２００５−３２６５５２４号公報
【発明の開示】
【発明が解決しようとする課題】
【０００６】
しかしながらこの特許文献１に示された光偏向走査装置は、単に鏡筒における筒状部分の表面を粗面化して接着剤塗布時、接着剤が容易に筒状部分の表面に均一に分散するようにしているだけであるため、前記したように光軸の調整などによってレンズまたはその保持部材と支持手段との間隔に偏りが生じると、その間に充填される接着剤の量にも差が生じ、硬化する際に収縮量が異なることでズレが生じる可能性がある。
【０００７】
また特許文献２に示された光学部品接着方法及び光学部品ユニットは、光学部品同士を光線有効系の外側で接着する際の接着剤の流れ込みを防ぐため、接着剤の粘度の範囲を規定しているだけであり、前記したように光軸の調整などによってレンズまたはその保持部材と支持手段との間隔に偏りが生じると、間隔が広いところでは多くの接着剤を用いねばならないから例え粘度の高い接着剤を用いても、滴だれの起こる可能性や、硬化する際に収縮量が異なることでズレが生じる可能性が残される。
【０００８】
そのため本発明においては、鏡筒側面とレンズ保持部との接着に際し、接着剤の滴だれを防止すると共に、接着剤の硬化する際の収縮量の違いでピントや光軸等に狂いを生ぜず、かつ、安定して十分な接着強度が得られるようにした光学系保持装置と該光学系保持装置を備えた撮像装置を提供することが課題である。
【課題を解決するための手段】
【０００９】
上記課題を解決するため本発明になる光学系保持装置は、
光学系を収容したレンズ鏡筒と、筒状に形成されて前記レンズ鏡筒をその内側に保持する保持部材と、を備え、
前記レンズ鏡筒は前記保持部材内径より大径のフランジ部を備え、該フランジ部側面と前記保持部材におけるフランジ部側とを接着剤で固定し、前記フランジ部は中心が前記光学系光軸に対して偏芯して設けられていることを特徴とする。
【００１０】
そしてこの光学系保持装置を備えた撮像装置は、
光学系を収容したレンズ鏡筒と、筒状に形成されて前記レンズ鏡筒をその内側に保持する保持部材と、前記光学系の結像位置に、前記保持部材における内径の中心が撮像画面の略中心となるよう配された撮像素子と、を備え、
前記レンズ鏡筒は前記保持部材内径より大径のフランジ部を備えて該フランジ部側面と前記保持部材におけるフランジ部側とが接着剤で固定され、前記フランジ部は中心が前記光学系光軸に対して偏芯して設けられていることを特徴とする。
【００１１】
このようにレンズ鏡筒に、光学系光軸に対して偏芯して保持部材内径より大径のフランジ部を備えたことで、前記光学系の光軸調整後に前記レンズ鏡筒を前記保持部材へ固定させる位置において前記フランジ部の光軸に対する偏芯の方向が、前記保持部材の内径中心に対する前記光軸のずれの方向とは略逆方向となるように固定し、そして、前記フランジ部の外径は、前記保持部材におけるフランジ部側内径を覆うだけの長さを有するようにすることで、フランジ部が保持部材の内径を覆うようにすることができる。
【００１２】
更に鏡筒におけるフランジ部側面が保持部材側に接着剤の塗布幅を全周に確保して載ることで、接着剤が保持部材とフランジ部側面に均等に載ると共に、基本的にフランジ部の外側で接着を行うことになるから接着剤の滴だれが防止され、接着剤の硬化する際の収縮量の違いでピントや光軸等に狂いを生じることがなくなる。また、接着剤が保持部材とフランジ部側面に均等に載ることで、安定して十分な接着強度が得られる光学系保持装置と該光学系保持装置を備えた撮像装置を提供することができる。
【００１３】
そして、前記フランジ部における前記光学系の光軸に対する偏芯量Ｙと、前記光学系の光軸調整後に前記レンズ鏡筒を前記保持部材へ固定させる位置における、前記保持部材内径の中心に対する光軸のずれ量の最大値Ｘとが、Ｙ≧Ｘ／２、となるよう前記フランジ部の偏芯量Ｙが定められていることで、光軸調整後にレンズ光軸が保持部材の中心に対して最大Ｘだけずれても、フランジ部における偏芯の方向を保持部材の内径中心に対する光軸のずれの方向とは略逆方向となるようにすれば、フランジ部が保持部材の内径を覆うことができる。
【００１４】
さらに、前記フランジ部における外径半径をＲ１、前記保持部材内径半径をＲ、前記光学系の光軸調整後に前記レンズ鏡筒を前記保持部材へ固定させる位置における、前記保持部材内径の中心に対する光軸のずれ量の最大値Ｘとが、Ｒ１≧Ｒ＋Ｘ／２、となるよう前記フランジ部の外径が定められていることで、フランジ部における偏芯の方向を保持部材の内径中心に対する光軸のずれの方向とは略逆方向となるようにした際、フランジ部が保持部材の内径を必ず覆うことができるようにすることができる。
【００１５】
また、前記保持部材の外径半径をＲ２、前記保持部材の内径半径をＲ、前記光学系の光軸調整後に前記レンズ鏡筒を前記保持部材へ固定させる位置における、前記保持部材内径の中心に対する光軸のずれ量の最大値をＸ、前記フランジ部側面と前記保持部材におけるフランジ部側とを固定する接着剤の径方向塗布幅の最小値ａとが、Ｒ２≧Ｒ＋Ｘ＋ａ、となるよう前記保持部材の外径が定められていることで、接着剤が保持部材の外側に滴だれするようなことも防止することができる。
【発明の効果】
【００１６】
以上記載のごとく本発明になる光学系保持装置と該光学系保持装置を備えた撮像装置は、基本的にフランジ部の外側で接着を行うため、接着剤の鏡筒内部への流れ込みを構造的に防ぐことができ、また、鏡筒におけるフランジ部側面は保持部材側に接着剤の塗布幅を全周に確保して載るから、接着に際して接着剤がフランジ部側面外周に均等に載り、それによって接着剤の滴だれが防止されることと相俟って、接着剤の硬化する際の収縮量の違いでピントや光軸等に狂いを生じることがなくなり、安定して十分な接着強度が得られる光学系保持装置と該光学系保持装置を備えた撮像装置を提供することができる。
【００１７】
また、フランジ部を偏芯させず、かつ、保持部材内面への接着剤の流れ込みを防止するためにはフランジ部の径を大きくする方法があるが、フランジ部の径を大きくして接着代を確保するためには、保持部材の径も大きくする必要があり、その分、鏡筒や保持部材の径が大きくなって小型化の要請に応えられなくなるが、本発明ではそういった心配もない。
【発明を実施するための最良の形態】
【００１８】
以下、図面を参照して本発明の好適な実施例を例示的に詳しく説明する。但しこの実施例に記載されている構成部品の形状等は、この発明の範囲をそれに限定する趣旨ではなく、単なる説明例に過ぎない。
【実施例１】
【００１９】
図１は、（Ａ）が本発明になる光学系保持装置におけるフランジ部の偏芯量と鏡筒保持部材の関係を説明するための図で、（Ｂ）がその光学系保持装置を備えた撮像装置の概略断面図である。本発明においては、光学レンズ１１を収容したレンズ鏡筒１０を、カメラやデジカメなどの筐体２０に設けられて筒状に形成されたレンズ保持部２１の内部に収容、固定する、光学系保持装置とその光学系保持装置を備えた撮像装置に適用されるものである。
【００２０】
最初に本発明の概略を簡単に説明すると、本発明においては、光学系を収容したレンズ鏡筒１０の鏡筒側面１３が、筒状に形成されてレンズ鏡筒１０をその内側に保持するレンズ保持部２１に挿入して接着によって固定保持するが、レンズ鏡筒１０にレンズ保持部２１の内径より大径で光学系光軸に対して偏芯させたフランジ部１２を設け、その偏芯フランジ部１２の側面とレンズ保持部２１における偏芯フランジ部１２側とを接着剤で固定するようにしたものである。
【００２１】
そして光学レンズ１１の光軸調整後に、光学レンズ１１の光軸が撮像装置などの筐体２０に収容された撮像素子２２における画面中心、すなわちレンズ保持部２１の内径中心とずれた場合、偏芯フランジ部１２の光軸に対する偏芯の方向を、レンズ保持部２１の内径中心に対する前記光軸のずれの方向とは略逆方向となるよう、レンズ鏡筒１０を光学系光軸中心に回転させた状態で、前記したように偏芯フランジ部１２の側面とレンズ保持部２１における偏芯フランジ部１２側とを接着剤３０ａ、３０ｂによって接着して固定する。
【００２２】
また、このように偏芯フランジ部１２における偏芯の方向をレンズ保持部２１の内径中心に対する光軸のずれの方向とは略逆方向となるようにした際、偏芯フランジ部１２がレンズ保持部２１の内径を覆うよう、この偏芯フランジ部１２の外径が定められている。そのため、接着に当たって偏芯フランジ部１２の側面は、レンズ保持部２１の偏芯フランジ部１２側の内径を覆うようにすることができ、そのため接着剤を、偏芯フランジ部１２の側面全周に渡って均等に載せることができるから、前記したようなレンズ鏡筒１０の側面とレンズ保持部内面２１ａのクリアランスが場所によって異なり、接着剤の滴だれを起こしたり、接着剤の硬化する際の収縮量の違いでピントや光軸等に狂いを生じる、といったことが防止されて、安定して十分な接着強度が得られる光学系保持装置と該光学系保持装置を備えた撮像装置を提供することができる。
【００２３】
このうち、レンズ保持部２１と偏芯フランジ部１２の関係を示したのが図１（Ａ）である。図中、Ｒはレンズ保持部内面２１ａの半径（内径半径）、Ｒ１は偏芯フランジ部１２における外径半径、Ｒ２はレンズ保持部２１の外径半径をそれぞれ表し、図１（Ｂ）に示したように、光学レンズ１１の光軸調整後に光学レンズ１１の光軸がレンズ保持部２１の中心に対してずれた量の最大値をＸ、偏芯フランジ部１２の光学レンズ１１の光軸に対する偏芯量をＹとしたとき、まず
Ｙ≧Ｘ／２  ………………（１）
とする。
【００２４】
このようにずれた量の最大値Ｘと偏芯量Ｙとの関係を定めることで、光軸調整後に光学レンズ１１の光軸がレンズ保持部２１の中心に対して最大Ｘだけずれても、前記したように偏芯フランジ部１２における偏芯の方向をレンズ保持部２１の内径中心に対する光軸のずれの方向とは略逆方向となるようにしているから、偏芯フランジ部１２がレンズ保持部２１の内径を覆う方向となる。
【００２５】
また、偏芯フランジ部１２における外径半径Ｒ１が、
Ｒ１≧Ｒ＋Ｘ／２  ………（２）
となるようにすることで、前記した、偏芯フランジ部１２における偏芯の方向をレンズ保持部２１の内径中心に対する光軸のずれの方向とは略逆方向となるようにした際、偏芯フランジ部１２がレンズ保持部２１の内径を必ず覆うことができるようにすることができる。
【００２６】
また図１（Ｂ）に示したように、偏芯フランジ部１２の側面と、レンズ保持部２１における偏芯フランジ部１２側とを固定する接着剤の径方向における塗布幅の最小値をａとしたとき、レンズ保持部２１の外径半径Ｒ２を
Ｒ２≧Ｒ＋Ｘ＋ａ  ………（２）
となるようにレンズ保持部２１の外径を定めることで、接着剤がレンズ保持部２１の外側に滴だれすることも防止することができる。なお、上記（１）、（２）、（３）、式において、Ｙと（Ｘ／２）、Ｒ１と（Ｒ＋Ｘ／２）、Ｒ２と（Ｒ＋Ｘ＋ａ）とがそれぞれ等しくなるようにすれば、偏芯フランジ部１２、レンズ保持部２１の各径を最小とすることができ、レンズ鏡筒１０やレンズ保持部２１の径を最小必要限に抑えて小型化の要請に対して有利とすることができる。
【００２７】
図２（Ａ）は、偏芯フランジ部１２を光軸に対して偏芯させ、接着剤がレンズ保持部２１の偏芯フランジ部１２側に均等に載るようにした本発明になる光学系保持装置でレンズ鏡筒１０をレンズ保持部２１に固定した場合、（Ｂ）はフランジ部４２を偏芯させずに固定した場合それぞれの固定状態を示した断面図である。
【００２８】
以上説明してきたように、レンズ鏡筒１０にレンズ保持部２１の内径より大径の偏芯フランジ部１２を備え、その偏芯フランジ部１２とレンズ保持部２１における偏芯フランジ部１２側とを、光学レンズ１１の光軸調整後に偏芯フランジ部１２の光軸に対する偏芯の方向が、レンズ保持部２１における内径中心に対する光軸のずれの方向とは略逆方向となるようにして接着剤で固定することで、この図２（Ａ）に示したように、光学レンズ１１の光軸調整によりレンズ鏡筒１０が図上左に寄り、図上右側のレンズ保持部内面２１ａと鏡筒側面１３とのクリアランスが大きくなっても、前記したようにレンズ鏡筒１０における偏芯フランジ部１２側面はレンズ保持部２１の内径を覆うように載るから、３０ｃ、３０ｄで示した接着剤の量は一定とすることができる。
【００２９】
そのため、接着に際して接着剤がレンズ保持部２１と偏芯フランジ部１２側面に均等に載ることで、接着剤の滴だれが防止されると共に、接着剤の硬化する際の収縮量の違いでピントや光軸等に狂いを生じることがなくなり、安定して十分な接着強度が得られる光学系保持装置と該光学系保持装置を備えた撮像装置を提供することができる。
【００３０】
それに対し、フランジ部４２を偏芯させずにレンズ鏡筒４０に設けた図２（Ｂ）の場合、図２（Ａ）と同様に光学レンズ１１の光軸調整によりレンズ鏡筒４０が図上右に寄り、図上左側のレンズ保持部内面２１ａと鏡筒側面４３とのクリアランスが大きくなると、フランジ部４２の中心と光学レンズ１１の光軸とは一致しているから、フランジ部４２がレンズ保持部２１のフランジ部４２側で一方により、接着剤３０ｅは十分余裕を持って塗布できるが、接着剤３０ｆは載せる部分が非常に狭くなり、滴だれが生じたり接着剤３０ｅと３０ｆとの硬化の際の収縮量が異なり、レンズ鏡筒４０が一方に引かれて光軸が狂う、といった現象が生じてしまう。
【００３１】
また、このようにフランジ部４２を偏芯させず、かつ、レンズ保持部内面２１ａへの接着剤の流れ込みを防止するためには、フランジ部４２の径を大きくする方法があるが、フランジ部４２の径を大きくして接着代を確保するためには、レンズ保持部２１の径も大きくする必要があり、その分、鏡筒やレンズ保持部２１の径が大きくなって小型化の要請に応えられなくなるが、本発明ではそういった心配もない。
【００３２】
それに対して本発明の光学系保持装置では、前記したように基本的に偏芯フランジ部１２の外側で接着を行うために、レンズ鏡筒１０における偏芯フランジ部１２はレンズ保持部２１内径を覆うように載るから、接着剤のレンズ鏡筒１０内部への流れ込みを構造的に防ぐことができ、また、接着に際して接着剤が偏芯フランジ部１２側面外周に均等に載り、それによって接着剤の滴だれが防止されると共に、接着剤の硬化する際の収縮量の違いでピントや光軸等に狂いを生じることがなくなり、安定して十分な接着強度が得られる光学系保持装置と該光学系保持装置を備えた撮像装置を提供することができる。
【産業上の利用可能性】
【００３３】
本発明によれば、レンズ鏡筒をレンズ保持部へ接着剤で固定するに当たり、例え光軸とレンズ保持部中心とにずれが生じても接着剤を均等に塗布する領域を確保でき、レンズ鏡筒の組み立てに際する鏡筒とレンズ保持部とを余裕を持って作成することができるから、レンズ鏡筒の組み立てや加工をコスト的に有利に進めることができる。
【００３４】
また、フランジ部を偏芯させずにレンズ保持部内面への接着剤の流れ込みを防止するためには、フランジ部の径を大きくする方法があるが、フランジ部の径を大きくして接着代を確保するためには、レンズ保持部の径も大きくする必要があり、その分、鏡筒やレンズ保持部２１の径が大きくなって小型化の要請に応えられなくなるが、本発明ではそういった心配もない。
【図面の簡単な説明】
【００３５】
【図１】（Ａ）は本発明になる光学系保持装置におけるフランジ部の偏芯量と鏡筒保持部材の関係を説明するための図、（Ｂ）は光学系保持装置を備えた撮像装置の概略断面図である。
【図２】（Ａ）はフランジ部を光軸に対して偏芯させ、フランジ部側面が保持部材に均等に載るようにした本発明になる光学系保持装置で鏡筒を保持部材に固定した場合、（Ｂ）はフランジ部を偏芯させずに固定した場合それぞれの固定状態を示した断面図である。
【図３】鏡筒とそれを接着固定するカメラやデジカメなどの筐体との間のクリアランスが不均一になった場合を説明するための図である。
【符号の説明】
【００３６】
１０  レンズ鏡筒
１１  光学レンズ
１２  偏芯フランジ部
１３  鏡筒側面
２０  筐体
２１  レンズ保持部
２１ａ  レンズ保持部内面
２２  撮像素子
３０ａ、３０ｂ  接着剤
【図１】
2009157184.tif 000003
【図２】
2009157184.tif 000004
【図３】
2009157184.tif 000005